Podtech/llm-jp-corpus-v4-ja_patent huggingface dataset:
(57)【要約】      （修正有）【課題】紫外線で光る蛍光トナ−を使用した安価で早く製作出来るスヌ−ズレン用品を提供する。【解決手段】紫外線で発光する蛍光トナ−を利用してプリンタで印刷することにより、早く安価に、スヌ−ズレン用品の大量生産が可能となる。本用品は、ブラックライトの光で発光し、重度の知的障害者のレクレ−ションの場であるスヌ−ズレンル−ムのブラックル−ム用のスヌ−ズレン用品として活用出来る。【選択図】なし【特許請求の範囲】
【請求項１】
紫外線で発光する蛍光トナ−を使用してプリンタ−で印刷し、その印刷物をスヌ−ズレンに活用することを特徴とするスヌ−ズレン用品
【請求項２】
請求項１で使用する蛍光トナ−は赤色、黄色、青色の３色で、そのうち１色、又は２色、又は３色を使用してプリンタ−で印刷し、その印刷物をスヌ−ズレンに活用することを特徴とするスヌ−ズレン用品
【請求項３】
紫外線で発光する蛍光トナ−を使用してクレヨン、墨、ボ−ルなど固形物を作り、その固形物をスヌ−ズレンに活用することを特徴とするスヌ−ズレン用品
【請求項４】
請求項１，２，３のスヌ−ズレン用品は紫外線で発光することを特徴とするスヌ−ズレン用品
【請求項５】
請求項１，２，３で使用される紫外線の波長は２００ｎｍ〜４００ｎｍで有効であるが、特に３５０ｎｍ〜３９０ｎｍの波長において顕著な発光効果が見られることを特徴とするスヌ−ズレン用品
【発明の詳細な説明】
【技術分野】
【０００１】  本発明はスヌ−ズレンのブラックル−ムで使用されるスヌ−ズレン用品に関するものである。
【背景技術】
【０００２】  重度の知的障害者のレクレ−ションの場であるスヌ−ズレンル−ムにはホワイトル−ムとブラックル−ムがあるが、その殆んどがホワイトル−ムである。
ブラックル−ムが増えない理由として、暗い所で視覚に影響を与えるスヌ−ズレン用品が少ないことにある。すなわちブラックル−ムには、紫外線を発するブラックライトが設置してあるが、ブラックライトの光で発光するスヌ−ズレン用品が余りにも少ないことにある。
【発明の概要】
【発明が解決しようとする課題】
【０００３】  上述の如く、ブラックライトの光りで発光する従来のスヌ−ズレン用品は蛍光塗料を用いての手作業によるもので、長い時間と費用がかかり結果的に高価なスヌ−ズレン用品となっている。
本発明は、このような従来のブラックル−ム用のスヌ−ズレン用品が有している問題を解決しようとするものであり、安価で早く製作出来るスヌ−ズレン用品を提供することを目的としている。
【問題を解決するための手段】
【０００４】  そして、本発明は上記目的を達成する為に鋭意研究を重ねた結果、紫外線で発光する蛍光トナ−を利用してプリンタで印刷することにより、早く安価にブラックル−ム用のスヌ−ズレン用品の大量生産を可能にしたものである。
【考案の効果】
【０００５】  本発明は以上説明したように、従来の蛍光塗料による手作業の代わりに、蛍光トナ−を利用してプリンタ−で印刷することが可能になった為、ブラックル−ム用のスヌ−ズレン用品の大量生産に利用出来る。
また、蛍光トナ−を顔料の代わりに使用したクレヨンや墨やボ−ルの製造が可能になった為、「ひかるクレヨン」や「ひかる墨」や「ひかるボ−ル」がスヌ−ズレン用品として利用出来る。
【発明を実施するための形態】
【０００６】  プリンタ−で蛍光トナ−を利用して印刷し、簡単に早くスヌ−ズレン用品を生産することが出来、ブラックル−ムにおいて紫外線を当て発光するスヌ−ズレン用品として実現出来た。
また、顔料の代わりに蛍光トナ−を使用したクレヨンや墨やボ−ルも生産することが出来、ブラックル−ムにおいて紫外線を当て発光するスヌ−ズレン用品として実現出来た。
【実施例１】
【０００７】  カラ−プリンタＲＩＣＯＨ  ＳＰ  Ｃ７５０の中に蛍光トナ−赤色、黄色、青色と一般の黒トナ−をセットし、ちょうちんを印刷して「光るちょうちん」を作成した。
ブラックル−ムにて「光るちょうちん」に紫外線を当てると非常に綺麗に発光し、視覚刺激としてのスヌ−ズレン用品を得ることが出来た。
【実施例２】
【０００８】  カラ−プリンタＲＩＣＯＨ  ＳＰ  Ｃ７５０の中に蛍光トナ−赤色、黄色、青色と一般の黒トナ−をセットし、うちわのデザインを印刷して、うちわ骨に貼り「光るうちわ」を作成した。
ブラックル−ムにて「光るうちわ」に紫外線を当てると非常に綺麗に発光し、視覚刺激としてのスヌ−ズレン用品を得ることが出来た。
【実施例３】
【０００９】  大型カラ−プリンタＫＩＰ  ｃ７８００の中に蛍光トナ−赤色、黄色、青色と一般の黒トナ−をセットし、クリスマスのデザインをＡ０版で印刷し、壁用のスヌ−ズレン用品として作成した。
ブラックル−ムにて、このＡ０版のクリスマスのデザインの印刷物に紫外線を当てると非常に綺麗に発光し、視覚刺激としてのスヌ−ズレン用品を得ることが出来た。
【実施例４】
【００１０】  大型カラ−プリンタＫＩＰ  ｃ７８００の中に蛍光トナ−赤色、黄色、青色と一般の黒色トナ−をセットし、動物のデザインを用紙サイズ幅９１４ｍｍで長さ１０ｍの長尺に印刷し、壁用のスヌ−ズレン用品として作成した。
ブラックル−ムにて、この長尺の動物のデザインの印刷物に紫外線を当てると非常に綺麗に発光し、視覚刺激としてのスヌ−ズレン用品を得ることが出来た。
【実施例５】
【００１１】  蛍光トナ−赤色、黄色、青色をクレヨンの重量に対してそれぞれ１０％を顔料の代わりに混合して、赤色、黄色、青色の３種の「ひかるクレヨン」を製作した。
ブラックル−ムで、この「ひかるクレヨン」に紫外線を当てると非常に綺麗に発光し、視覚刺激としてのスヌ−ズレン用品を得ることが出来た。
【実施例６】
【００１２】  蛍光トナ−赤色、黄色、青色を墨の重量に対してそれぞれ１５％を顔料の代わりに混合して、「光る墨」の赤色、黄色、青色の３種の墨を製作した。
ブラックル−ムでこの「光る墨」に紫外線を当てると非常に綺麗に発光し、視覚刺激としてのスヌ−ズレン用品を得ることが出来た。
【産業上の利用可能性】
【００１２】  本発明のスヌ−ズレン用品は、重度の知的障害者だけではなく、認知症の人々、精神障害を持つ人々、発達障害者、教育障害者、幼児病院、一般の幼稚園など多くの人々に利用可能することが出来る。
(57)【要約】【課題】洗濯後の衣類の乾きづらい部分であるハイネックやタートルネックやフードや袖を、部分的に挟んで吊り下げることにより乾きやすくすることを目的とし、少ない材料で比較的容易に作製でき、単純な構造で厚みがほとんどないため使用中も収納時も嵩張らない、ハイネック及びタートルネック及びフード及び袖の乾燥促進補助具を提供する。【解決手段】半円状の、物干竿の上に掛ける部分（１）を形成し、（１）を中心として左右対称に縦長のクリップ状の、布地を挟んで保持する部分（２）と（３）を形成する。洗濯した衣類を掛けた既存のハンガーを物干竿に掛け、その近くに本発明の物干竿に掛ける部分（１）を掛け、衣類の布地を挟んで保持する部分（２）と（３）に、衣類のハイネックやタートルネックやフードや袖の一部を挟んで吊り下げることにより乾きやすくする。既存のハンガーを活用したまま、その乾燥促進補助具として使用する。【選択図】図１
2018126473.tif 000002
【特許請求の範囲】
【請求項１】
既存のハンガーの補助具として使用し、物干竿の上に掛ける半円状の支点部分と、その部分を中心として左右対称に縦長のクリップ状の挟み込み部分を形成する単純な構造で、洗濯後の衣類の乾きづらい部分であるハイネックやタートルネックやフードや袖を部分的に挟んで吊り下げることにより乾きやすくする、ハイネック及びタートルネック及びフード及び袖の乾燥促進補助具。
【発明の詳細な説明】
【技術分野】
【０００１】
本発明は、洗濯後の衣類の乾きづらい部分であるハイネックやタートルネックやフードや袖を、部分的に挟んで吊り下げることにより乾きやすくする、ハイネック及びタートルネック及びフード及び袖の乾燥促進補助具に関するものである。
【背景技術】
【０００２】
洗濯後の衣類を既存のハンガーに掛けて干すと、ハイネックやタートルネックやフードや袖下の部分は、布地が重なり合って乾きづらい。
【０００３】
ハイネックやタートルネックやフード部分の乾きづらさを解消するために、ハイネック部分を伸ばして干せるハンガーや、既存のハンガーに取り付けてフード部分を伸ばして干せる乾燥補助具などが販売されている。また、タートルネック及びフード付衣類用洗濯物干しハンガー（特開2014-073343号公報）、フード付衣類ハンガー補助具（特開2009-000466号公報）、タートルネック用洗濯物干しパーツ（実用新案登録第3156249号公報）、その他の発明や考案が公開されている。
【先行技術文献】
【特許文献】
【０００４】
【特許文献１】特開2014-073343号公報
【特許文献２】特開2009-000466号公報
【特許文献３】実用新案登録第3156249号公報
【特許文献４】特開2010-178811号公報
【特許文献５】特開2012-066039号公報
【特許文献６】特開2000-300417号公報
【特許文献７】特開2008-253693号公報
【特許文献８】実用新案登録第3122868号公報
【発明の概要】
【発明が解決しようとする課題】
【０００５】
しかし、従来の商品や発明や考案は、構造が複雑なため安価に作製できなかったり、複数の部品や素材から立体的に作製するため大型になったり、収納時に嵩張ったりするという課題があった。
【課題を解決するための手段】
【０００６】
本発明は、既存のハンガーの補助具として使用し、物干竿の上に掛ける半円状の支点部分と、その部分を中心として左右対称に縦長のクリップ状の挟み込み部分を形成する単純な構造で、衣類の一部を挟んで吊り下げる。
【発明の効果】
【０００７】
洗濯後に既存のハンガーに掛けただけでは布地が重なり合うため乾きづらいハイネックやタートルネックやフードや袖を、部分的に挟んで吊り下げることにより乾きやすくする。
【０００８】
少ない材料で比較的容易に作製でき、単純な構造で厚みがほとんどないため使用中も収納時も嵩張らない。
【図面の簡単な説明】
【０００９】
【図１】本発明の正面図である。
【図２】本発明の使用状態図である。
【発明を実施するための形態】
【００１０】
半円状の物干竿の上に掛ける部分（１）を形成し、（１）を中心として左右対称に縦長のクリップ状の布地を挟んで保持する部分（２）と（３）を形成する。
【実施例】
【００１１】
図２は、洗濯してハンガーに掛けたハイネック衣類（５）を、物干竿（６）に、ハンガーのフック（４）で掛け、その近くに本発明の物干竿に掛ける部分（１）を掛け、衣類の布地を挟んで保持する部分（２）と（３）で、衣類のハイネック部分を挟んで吊り下げた状態である。
【００１２】
本発明は、このような実施形態に限定されるものではなく、タートルネックやフードや袖の部分の布地の一部を挟んで吊り下げることができる。また、本発明の要旨を逸脱しない範囲で、任意に大きさや形状を変更したり、物干竿に掛ける部分（１）が物干竿に接する面や、布地を挟んで保持する部分（２）（３）が布地に接する面に、滑りにくくなる加工を追加することもできる。また、靴下やハンカチなどの小物を干すことも可能である。
【産業上の利用可能性】
【００１３】
少ない材料で比較的容易に作製できるため、安価に量産可能である。素材として、ステンレスやアルミや被膜鉄製ワイヤーのほか、プラスチック、シリコンなども利用可能である。大きさを変えたり、デザイン性の高い形状に加工することも可能である。
【符号の説明】
【００１４】
１  物干竿に掛ける部分
２  布地を挟んで保持する部分
３  布地を挟んで保持する部分  
４  ハンガーのフック
５  洗濯してハンガーに掛けたハイネック衣類
６  物干竿  
【図１】
2018126473.tif 000003
【図２】
2018126473.tif 000004
(57)【要約】【課題】手を離しても赤ちゃんをそばから離さないタオルを提供する。【解決手段】タオル（１）を赤ちゃんのお腹に巻いて綿の紐（２）に２回通してタオルを握る。綿の紐（２）に２回とおす事で、タオル（１）を引っ張ってもお腹がしまり過ぎないことを特徴とする。【選択図】図３
2018126478.tif 000002
【特許請求の範囲】
【請求項１】
タオル（１）の端に綿の紐（２）と手と通せる輪を設けた多目的タオル。
【発明の詳細な説明】
【技術分野】
【０００１】この発明は、タオルで赤ちゃんの安全を確保するものである。
【背景技術】
【０００２】よちよち歩き出した赤ちゃんの手を離すと危険である。
【先行技術文献】
【特許文献】
【０００３】
【特許文献１】
【発明の概要】
【発明が解決しようとする課題】
【０００４】歩き出したばかりの赤ちゃんを連れて買い物行って会計をする時など、赤ちゃんの手を一瞬離しただけで、赤ちゃんが親から離れたりしたら危ない。
本発明は、以上のような危険をなくすためになされたものである。
【課題を解決するための手段】
【０００５】タオルを赤ちゃんのお腹に巻いて綿の紐に２回通してタオルを握る。
綿の紐に２回とおす事で、タオルを引っ張ってもお腹がしまり過ぎない。
【発明の効果】
【０００６】  タオルとして使えて、カバンの中に常備出来るので、いつでも赤ちゃんにタオルを巻いて離れないように出来る。（多目的でタオルを使える）
【図面の簡単な説明】
【０００７】
【図１】平面図
【図２】斜視図
【図３】斜視図
【発明を実地するための形態】
【０００８】  以下の、本発明を実地するための形態について説明する。
タオル（１）を筒のように縫う。（縦７ｃｍ前後・横１４０ｃｍ〜１５０ｃｍぐらいの筒にする）
綿の紐（２）は輪にしておく。
タオル（１）の左端を折って綿の紐（２）を通して縫う。
タオル（１）の右端を折って手が入るように輪になるように縫う。
本発明は、以上のような構造である。
これを使用するときは、赤ちゃんのお腹に巻いて綿の紐（２）にタオルを２回通してタオルを握る。
【符号の説明】
【０００９】  １  タオル
２  綿の紐
【図１】
2018126478.tif 000003
【図２】
2018126478.tif 000004
【図３】
2018126478.tif 000005
(57)【要約】      （修正有）【課題】箱型（テッシュ）を壁面等、任意の所に、簡易に固定する事ができる器具を提供する、【解決手段】箱型保持器具の背面に粘着テープ１、ネジ止めよう穴２、磁石３、等を装置し壁面に順応するもので固定する。【選択図】図１
2018126480.tif 000002
【特許請求の範囲】
【請求項１】
箱型（テッツシュ）を、多様な壁面に簡易に固定出来る様、装置した（テッツシュ）保持器である。
【発明の詳細な説明】
【技術分野】
【０００１】この発明は、ネジ、粘着テープ、磁石、等により、多様な壁面の任意な場所に固定する事が出来る、箱入り（テッシュ）、保持器具である。
【背景技術】
【０００２】従来箱入り（テッシュ）は、床、テーブル、の上等、置き場所がじゃまに成ったり、使用する時、一定の場所になかったり、不便であつた。
【先行技術文献】
特許文献
【０００３】
【特許文献１】
【発明の概要】
【発明が解決しようとする課題】
【０００４】これには次の様な欠点があつた、
（イ）  置き場所がじゃまに成る。
（ロ）  使用する時、一定の場所になかつたり、不便であつた。
（ハ）  車椅子での使用が不便であつた。
【課題を解決するための手段】
【０００５】本発明は以上の様な欠点をなくす為、壁面等じゃまに成らない、取りよい高さに（テッシュ）の箱を固定する器具である。
【発明の効果】
【０００６】（イ）  いつも一定の、じゃまに成らない使い安い場所に（テッシュ）を固定できる。
（ロ）  車椅子等、障害が有る人の、取りやすい壁面等に固定する事ができる。
【図面の簡単な説明】
【０００７】
【図１】  本発明の図面である。
【図２】  本発明の斜視図である
【発明を実施する為の形態】
【０００８】固定器具の背面に、壁面の状態に対応できる様、粘着テープ、ネジ穴、磁石、を装着  し壁面を出来るだけ傷つけない様、木ネジ止めとし、不都合の場合は粘着テープをもちい又、冷蔵庫等鉄板には磁石でたいおうする。
【符号の説明】
【０００９】１  粘着テープ、
２  ネジ穴、
３  磁石、
【図１】
2018126480.tif 000003
【図２】
2018126480.tif 000004
(57)【要約】【課題】瓶と精油と天然石及び人造鉱物系の天然石から成る、精油の機能としての役割が変わる癒しの精油または香水を提供する。【解決手段】１．瓶と精油と天然石及び人造鉱物系の天然石から成る、精油の機能としての役割が変わる癒しの精油または香水２．請求項１記載の  精油と天然石及び人造鉱物系の天然石から成る精油を油性基材に混ぜ、体や顔のトリートメントに用いる３、請求項１記載の、精油と、天然石及び人造鉱物系の天然石から成る精油をエタノールで希釈したアロマ香水。４、請求項２記載の精油と、天然石及び人造鉱物系の天然石から成る精油をエタノールなどの水溶性基材で希釈したアロマ香水。【特許請求の範囲】
【請求項１】
瓶と精油と天然石及び人造鉱物系の天然石から成る、精油の機能としての役割が変わる癒しの精油または香水
【請求項２】
請求項１記載の  精油と天然石及び人造鉱物系の天然石から成る精油を油性基材に混ぜ、体や顔のトリートメントに用いる
【請求項３】
請求項１記載の、精油と、天然石及び人造鉱物系の天然石から成る精油をエタノールで希釈したアロマ香水
【請求項４】
請求項２記載の精油と、天然石及び人造鉱物系の天然石から成る精油をエタノールなどの水溶性基材で希釈したアロマ香水。
【発明の詳細な説明】
【技術分野】
【０００１】本発明は、精油の中に天然石及び人造鉱物系の天然石を入れることにより精油の機能に付加価値を付けることができる。
更に詳しくは、生理学的な機能が付加される【０００２】天然石及び人造鉱物系の天然石は、波動があり心身の気持ちに安らぎや親しみ、心身を安定させる効果が期待できる【０００３】精油には、嗅覚を通して大脳辺縁系に直接作用し、快不快を司っている視床、視床下部をととのえる効果が期待できる。
よって、ストレス解消はじめ、人の気持ちや精神を高揚、安定、鎮静などさせる効果が期待できる。【０００４】天然石及び人造鉱物系の天然石の形状は、原石、さざれ、ビーズ、チップルースで大きさは１ミリから７ミリ程度のもの。
【背景技術】
【０００５】精油は、天然の植物から抽出された高濃度の芳香物質で、心身に高揚感や鎮静作用などが期待でき、嗅いだり植物オイルで希釈して肌に塗ったりして使用するもので人に安らぎを与える。天然石及び人造鉱物系の天然石波動があり心身の気持ちに安らぎや親しみ、心身を安定させる効果が期待できる。これらを組み合わせることによって、癒しの効果を誰もが手軽に行える持て美しい香水ができる。
特許文献１に記載されたものが知られている。【０００６】天然石及び人造鉱物系の天然石と組み合わせることによって、見ても美しい香水で購買意欲を増進させる
【先行技術文献】
【特許文献】
【特許文献】特開２００５−１１８４８０
【発明の概要】
【発明が解決しようとする課題】
【０００７】今までは，天然石及び人造鉱物系の天然石と香水は別々に使うという常識的な考えがあり、それぞれの良い作用が分散されていた。
【課題を解決するための手段】
【０００８】本発明は瓶と精油と天然石及び人造鉱物系の天然石から成る、精油の機能としての役割が変わる癒しの精油または香水を特徴とする【０００９】  また本発明は、請求項１記載の  精油と天然石及び人造鉱物系の天然石から成る精油を油性基材に混ぜ、体や顔のトリートメントに用いる【００１０】請求項１記載の、精油と、天然石及び人造鉱物系の天然石から成る精油をエタノールで希釈したアロマ香水を特徴とする【００１１】請求項２記載の精油と、天然石及び人造鉱物系の天然石から成る精油をエタノールなどの水溶性基材で希釈したアロマ香水を特徴とする。
【発明の効果】
【００１２】本発明によって、天然石及び人造鉱物系の天然石は、波動があり心身の気持ちに安らぎや親しみ、心身を安定させる効果が期待できる【００１３】精油には、嗅覚を通して大脳辺縁系に直接作用し、快不快を司っている視床、視床下部をととのえる効果が期待できる。
よって、ストレス解消はじめ、人の気持ちや精神を高揚、安定、鎮静などさせる効果が期待できる。
【発明を実施するための形態】
【００１４】瓶と精油と天然石及び人造鉱物系の天然石から成る、精油の機能としての役割が変わる癒しの精油または香水。
【００１５】瓶の形状や天然石及び人造鉱物系の天然石の大きさや形状は特に限定されない。
【実施例】
【００１６】実施例１
１５ミリのガラススプレーに１５ミリの無水エタノールを入れて、ネロリ精油を５滴、フランキンセンス精油５滴を入れて、ダイヤモンドのルース石１．３ｍｍ３個、アメジストのルース石３ｍｍ５個を入れる。
【産業上の利用可能性】
【００１７】本発明は、精油の香りが及ぼす心理的作用と天然石及び人造鉱物系の天然石の心身をいやす効果が相乗効果として、利用される。
(57)【要約】      （修正有）【課題】長時間の活用及び、化粧品効果の向上を目的とするヒアルロン酸被膜パックの提供。【解決手段】化粧品成分のヒアルロン酸、原液そのものを使用し肌ケアをする。ヒアルロン酸原液を顔と首全体の肌に塗布し、数十秒から数分間置くと、ヒアルロン酸の被膜パックができる。このヒアルロン酸原液は水溶液であるからして、ヒアルロン酸被膜パックを保護できるケア商品が必要である。その商品が朝のケアにおいては、ヒアルロン酸配合の乳液であり、夜のケアにおいては、ヒアルロン酸配合のクリームである。このヒアルロン酸被膜パック＆乳液、ヒアルロン酸被膜パック＆クリームケアを朝から夜へ、夜から朝へと続けると、長期的なケア効果「うるおい、シミ・シワ予防＆改善、柔軟性・弾力性の持続、美白、透明感」が得られるのである。【選択図】図２
2018177753.tif 000002
【特許請求の範囲】
【請求項１】
化粧品で行う顔と首全体の肌ケア、その使用効果向上を目的とした新商品の開発、及びケア方法の開発である。化粧品の原料、ヒアルロン酸原液が表現する使用後の形状、そして、ヒアルロン酸自体の働きかけによる肌への作用、それらを利用して、使用効果を高めるものである。つまり、ヒアルロン酸原液を顔と首全体に塗布し、数十秒から数分間置くと、ヒアルロン酸の被膜パックができる。この被膜パックができることにより、緩んでいる肌表面がピンと張った状態となる。この張った状態を数分間継続させることで、様々な使用効果の向上が見込めるものである。また、このヒアルロン酸被膜パックを長時間継続させ、短期的ケアから長期的ケアへと移行させるべく、化粧品ケア方法を開発するものである。朝のケアにおいては、ヒアルロン酸パックの上に乳液を塗布する。夜のケアにおいては、ヒアルロン酸被膜パックの上にクリームを塗布するものである。こうすることにより、ヒアルロン酸被膜パックが保護されるのである。乳液やクリームの保護下にあるヒアルロン酸は、体内から蒸発する水分や、空気中にある水分を肌上に長時間留め置くことができる。これがヒアルロン酸の保湿力の凄さである。保湿、すなわち、うるおいのある肌は、細胞が活性し、老化が予防され、美白力が高まり、柔軟性や弾力性に富んだ肌を育むものである。
【発明の詳細な説明】
【技術分野】
【０００１】  化粧品の原料、ヒアルロン酸原液を顔と首全体に塗布する。数十秒から数分間置くと、肌表面にヒアルロン酸の被膜ができる。この被膜がパックになる。この被膜パックを持続させるために、朝のケアでは肌ケア商品、ヒアルロン酸配合の乳液を、夜のケアでは肌ケア商品、ヒアルロン酸配合のクリームを塗布するものである。
【技術の背景】
【０００２】  化粧品成分の主体は水である。化粧品を肌に塗布し、数十秒から数分間置くと、水分は蒸発する。水分が蒸発すると、有効成分の作用は縮小される。後には消滅するものである。現行で使用されているパックにおいては、短時間で剥がしたり、洗い流したりするものであるから、化粧品における肌ケア効果の継続性及び向上は、見込めないものである。肌ケアにおける使用効果の向上を図るには、化粧品成分の品質、そして、その化粧品の活用法がポイントとなる。
【発明の開示】
【発明が解決しようとする課題】
【０００３】  上述のごとく、肌ケアで化粧品効果の向上を図るには、化粧品成分の消滅を防げる品質の商品と、それを有効活用する使用法が不可欠となるものである。
【課題を解決する為の手段】
【０００４】  上述の目的を達成するために、化粧品の原液、ヒアルロン酸を使用した新商品を開発するものである。この商品を顔と首全体に塗布し、数十秒から数分間置くと、ヒアルロン酸の被膜ができる。これがパックとなるのである。
【０００５】  上述のヒアルロン酸原液は水溶液である。この水溶液からできる被膜パックを、そのまま放置しておけば、現行に市販されているものの効果とさほど変わりがないものであるからして、このパックを保護し、ヒアルロン酸自体の働きを継続させる必要がある。その保護膜をつくる商品、朝のケアにおいてはヒアルロン酸配合の乳液を、夜のケアにおいてはヒアルロン酸配合のクリームを使用するものである。
【発明の効果】
【０００６】  肌は常にうるおい、柔らかく、弾力性に富み、シワ、シミの予防と改善、美白、透明感のある、肌トラブルを起こさない、魅力的な肌を作り、それを継続させるものである。
【発明を実施する為の最良な形態】
【０００７】  化粧品の原料、ヒアルロン酸原液がつくる被膜パック及び、それを保護するケア商品の活用。
【図面の簡単な説明】
【０００８】
【図１】  本発明に関わる人間の顔及び首の図面である。
【図２】  本発明に関わる容器に入れた、化粧品原料、ヒアルロン原液である。
【図３】  本発明に関わる容器に入れた乳液である。
【図４】  本発明に関わる容器に入れたクリームである。  〔図２〕のヒアルロン酸原液を、〔図１〕の顔及び首全体の肌に塗布し、数十秒〜数分間置くと、ヒアルロン酸原液被膜パックが作られるのである。朝のケアにおいては、このヒアルロン酸被膜パックの上に、〔図３〕の乳液を塗布し、夜のケアにおいては、このヒアルロン酸被膜パックの上に〔図４〕のクリームを塗布するものである。
【図１】
2018177753.tif 000003
【図２】
2018177753.tif 000004
【図３】
2018177753.tif 000005
【図４】
2018177753.tif 000006
(57)【要約】      （修正有）【課題】手で操作したオートマチックがハンドルボタン押しになった。【解決手段】手で操作したオートマチックがハンドルボタン押しになった。【選択図】図１
2018177177.tif 000002
【特許請求の範囲】
【発明の詳細な説明】
【技術分野】
【０００１】手で操作してたオートマチックがハンドルボタン押しになった
【発明の概要】
【発明が解決しようとする課題】手で操作してたオートマチックがハンドルボタン押しになった
【課題を解決するための手段】手で操作してたオートマチックがハンドルボタン押しになった
【発明の効果】手で操作したオートマチックがハンドルボタン押しになった
【図面の簡単な説明】
【図１】正面図
【発明を実施するための形態】
手で操作したオートマチックがハンドルボタン押しになった
【符号説明】
１  ボタン
【図１】
2018177177.tif 000003
【手続補正書】
【提出日】平成30年8月9日(2018.8.9)
【手続補正１】
【補正対象書類名】特許請求の範囲
【補正対象項目名】全文
【補正方法】追加
【補正の内容】
【特許請求の範囲】
【請求項１】
ハンドルボタン押しオートマチック
(57)【要約】【課題】必要な時に簡易にダストボックスが設置でき、流し台の設置では、手入れが楽にできたり、使用しない時は場所を取らずに収納ができる。又、災害などの緊急時に備えて、シート状にしてかさばらずに大量に保管ができるため、集団で一時避難生活を送る際の簡易式ダストボックスとして使用ができ、様々な場所での簡易式ダストボックスを提供する。【解決手段】１枚のシートを筒状に丸めて端（突起部分）（１）と端（切込部分）（２）を合わせて固定し、市販の水切りネットやごみ袋を中に取り付けることで、簡易式のダストボックスになる器具を特徴とする。【選択図】図１
2018177520.tif 000002
【特許請求の範囲】
【請求項１】
本発明の１枚のシートを筒状に丸めて端（突起部分）（１）と端（切込部分）（２）を合わせて固定し、市販の水切りネットやごみ袋を中に取り付けることで、簡易式のダストボックスになる構造の器具。
【発明の詳細な説明】
【技術分野】
【０００１】  この発明は、本発明（１枚のシート）を筒状に丸めて固定し、市販の水切りネットやごみ袋等を中に取り付けることでダストボックスになるものである。
【背景技術】
【０００２】  従来、市販のダストボックスでは、シート状から丸めてダストボックスにして流し台の三角コーナー等で使用する製品（本発明）を拝見したことがなく、製品化されていないと思われる。
【先行技術文献】
【０００３】
【特許文献１】
【発明の概要】
【発明が解決しようとする課題】
【０００４】  これは、次のような欠点があった。
従来の市販の三角コーナーでのダストでは、底が一体型で、使用すると汚れが詰まって、カビや雑菌が繁殖し、汚れが付き易く、汚れを落とすのに手間がかかったり、使用しない時もスペースの邪魔になったりがあった。又、室内で使用するダストボックスもシート状から筒状に丸めてビニール製の袋を取り付ける製品（本発明）が無く、使用しない時にスペースの邪魔になることがあった。
本発明は、以上のような欠点をなくすためになされたものである。
【課題を解決するための手段】
【０００５】  本発明は、プラスチック素材を使用し、シート状から筒状に丸めて端（突起部分）と端（切込部分）を合わせて固定し、市販の水切りネットやごみ袋を中に取り付けることで、容易に簡易式のダストボックスになる構造の器具である。
【発明の効果】
【０００６】    （イ）本発明は、プラスチック素材を使用することで、水に強く、容易に丸めること        （形状を変えること）ができ又、繰り返しの使用が可能になる為、簡易式のダス        トボックスとして使用することができる。
（ロ）本発明を使用することで、三角コーナーでのダストボックスの底面の汚れを気        にすることがなくなり、シート状に戻して汚れを落とすことができ、手入れも簡        単にでき、ダストボックスを必要としない時は、シート状に戻して流し台から撤        去することでスペースの邪魔にならなくなる。
（ハ）本発明があることで、必要とした時に簡易式のダストボックスができ、必要と        しない時はシート状にし、持ち運びや片付け、収納が簡単に行える。
流し台などの水場での使用に適していて、筒状にした際に底面がないため、底        面の汚れ（カビなどの雑菌）の付着を気にすることがなく、手入れが楽になり、        精神的な負担の軽減にも繋がる。
災害時などで緊急にダストボックスが必要な時も、レジ袋等を活用し簡易のダ        ストボックスの使用ができ、使用しない時の保管もシート状にすることでかさば        らずに重ねて収納ができるため、避難集合場所の大量の保管も可能になり、災害        時の簡易式ダストボックスにも適している。
【図面の簡単な説明】
【０００７】
【図１】本発明の平面図である。
【図２】本発明の組立図である。
【図３】本発明の使い方図である。
【発明を実施するための形態】
【０００８】  以下、本発明を実施するための形態について説明する。
シート状から筒状に丸めて端（凹）と端（凸）を合わせて固定し、市販の水切りネットやごみ袋を中に取り付けることで、容易に簡易式のダストボックスになる形状。
材質は、プラスチック素材等の水に強く、堅さがあって、筒状に変形したりシート状に戻したりが繰り返し行えるもの。
大きさは、流し台の三角コーナー等に設置するタイプは、市販の水切りネットが取り付けられるサイズ。室内で使用するタイプは、一般的なレジ袋等が取り付けられるサイズ。
本発明は、以上のような構造である。
これを使用するときは、シート状から筒状に丸めて端（突起部分）（１）と端（切込部分）（２）を合わせて固定し、市販の水切りネットやごみ袋を中に取り付け、簡易式ダストボックスとして使用する。
【符号の説明】
【０００９】    １  突起部分
２  切込部分
【図１】
2018177520.tif 000003
【図２】
2018177520.tif 000004
【図３】
2018177520.tif 000005
(57)【要約】【課題】トイレの飛び散りと汚れを防ぐ機構を提供する。【解決手段】便器本体(1)の近くに前傾した足場(2)を取付して、飛びちりを防ぎ汚れないようにした。【選択図】図１
2018019960.tif 000002
【特許請求の範囲】
【請求項１】
便器近くに前傾した足場を、取付した機構
【発明の詳細な説明】
【技術分野】
【０００１】
この発明は、トイレの汚れ、飛びちりを防ぐ機構に関するものである。
【背景技術】
【０００２】
従来、トイレは汚れ、飛びちり等で、手入れが大変だった。
【発明の概要】
【発明が解決しようとする課題】
【０００３】
従来、トイレ掃除は大変で、特に汚れが激しい場合は多くの時間がかかり、問題であった。
【課題を解決するための手段】
【０００４】
便器本体(1)に近づけて前傾した足場(2)を取付した。
【発明の効果】
【０００５】
前傾した足場を取付した事で、体がより前になり、便器に近くなり飛び散らなくなった。
【図面の簡単な説明】
【０００６】
【図１】本発明の側面図である。
【図２】本発明の側面図である。(洋式)
【発明を実施するための形態】
【０００７】
以下、本発明を実施する形態について説明する。(図1)(図2)の立って用を足す便器の場合、便器の前に前傾した足場(1)を設置した。
【実施例】
【０００８】
立って用を足す場合、従来離れた状態で用を足すと、飛び散って汚れる事が多かったが、立ち位置を足場で固定し、また前傾した事でより近くなり飛びちりがなくなった。
【産業上の利用可能性】
【０００９】
公衆トイレ又サービスエリア等の不特定多数の人が使用する頻度が多い場合は、汚れ飛び散りが多かったが、便器に近づけて前傾した足場を取付した事で汚れが少なくなり、掃除の大変さがなくなる。
【符号の説明】
【００１０】
1  便器本体
2  足場    
【図１】
2018019960.tif 000003
【図２】
2018019960.tif 000004
(57)【要約】【課題】火星に住むために必要な物や人間同士の交流を実施する事に関する。【解決手段】火星に住むための、諸々の暮らし方について。【選択図】図１
2018019582.tif 000002
【特許請求の範囲】
【請求項１】
火星開発の特許。
【請求項２】
酸素、温度、最適な建物を作る。（命令する。）
【請求項３】
酸素と温度開発。（元物質も生産。）
【請求項４】
生活必需品を備える。（適度供給。）
【請求項５】
重力をコントロールする。
【請求項６】
電子を動かす事に依って物体を動かす。
【請求項７】
移住規則を作る。
【請求項８】
通貨を作る。
【請求項９】
情報配信機械を作る。楽しく住める。
【請求項１０】
病気を予防する。
【請求項１１】
地球にも帰れる。
【請求項１２】
争わ無い。
【請求項１３】
明日も暮らす。
【請求項１４】
監督を置く。
【請求項１５】
移住のための研修をする。
【発明の詳細な説明】
【技術分野】
【０００１】本発明は、火星移住に関する、諸々の付属発明。
【背景技術】
【０００２】近年、宇宙には数々の物質を打ち上げて来た。【０００３】図のＡ、Ｂを使い、火星に移住する仕方について。
【発明の開示】
【発明が解決しようとする課題】
【０００４】従来では、地球に住んで居た。【０００５】本発明は、火星への移住に必要なものについて、また、規則。
【課題を解決するための手段】
【０００６】火星へ移住したりした後の暮らし方について。
【発明を実施するための最良の形態】
【０００７】図の様な建物に住み、快適にそこで暮らして行く事について。
【図面の簡単な説明】
【０００８】
【図１】火星に住み易く住む方法について。
【符号の説明】
【０００９】Ａ  火星。
Ｂ  居住施設
【図１】
2018019582.tif 000003
(57)【要約】      （修正有）【課題】神様の様な人造人間を作り、教育や用事をしてくれる事を実施する事に関する。【解決手段】脳や半導体に依って、人造人間を作ってゆく。【選択図】なし【特許請求の範囲】
【請求項１】
人間が楽に成れる発明
【請求項２】
計算出来る機械と色々な電波
【請求項３】
神様グレイ（人造人間）を作る
【請求項４】
ブドウ糖か電気と酸素に依って、脳と心臓を動かす
【請求項５】
人間を酔わしたり、高尚に成ってくれたりする
【請求項６】
元気物質や気が大きい物質
【請求項７】
人間が楽に成れるし、用はして貰う発明
【請求項８】
凄い半導体に依る、人造人間
【請求項９】
家事をしてくれる、仕事をしてくれる
【請求項１０】
やる気に成るヘミシンクを開発する
【請求項１１】
人が死なない原則、親が可哀想に思うから
【請求項１２】
人造人間に教育を任せる
【発明の詳細な説明】
【技術分野】
【０００１】本発明は、人造人間に関する、諸々の付属発明。
【背景技術】
【０００２】近年、コンピューターやヘミシンクの技術が台頭して来た。【０００３】人間を教育する人造人間について。
【発明の開示】
【発明が解決しようとする課題】
【０００４】従来では、神様程の人造人間は居無かった。【０００５】本発明は、人造人間の作り方について、また、教育の促し方。
【課題を解決するための手段】
【０００６】人間を楽にしてくれる人造人間や、教育について。
【発明を実施するための最良の形態】
【０００７】凄い半導体に依って、脳に依って、人造人間を作る。
(57)【要約】      （修正有）【課題】分枝しにくく茎が１本だけ伸長し葉もまばらに付くアカザカズラにおいて、株間を広くして植え付けても、従来苗の密植と同等の収量が期待できる苗の育成法を提供する。【解決手段】アカザカズラ苗の主茎１又は子分枝又は孫分枝の長さが３０ｃｍに達する以前に主茎又は子分枝又は孫分枝の基部から２葉乃至６葉を残してその茎の先端を切除して分枝を促す操作を１回から１０回繰り返すことで複数の分枝で形成された苗の育成が可能となる。【選択図】図１
2018019675.tif 000002
【特許請求の範囲】
【請求項１】
アカザカズラのむかご又は挿し木又は塊根によって苗を育成する場合において、苗の主茎又は子分枝又は孫分枝の長さが３０ｃｍに達する以前に主茎又は子分枝又は孫分枝の基部から２葉乃至６葉を残してその先端の茎を切り取る操作をひとつの苗に対して１回から１０回繰り返すことで複数本の茎で形成された苗を育成する方法。
【発明の詳細な説明】
【技術分野】
【０００１】  技術分野は野菜栽培における苗作りの方法に属するものである。
【背景技術】
【０００２】  アカザカズラはツルムラサキ科のつる性植物であり、ミネラルを多く含有することから健康増進効果が高い野菜として近年注目を集め栽培が増えつつある。【０００３】  アカザカズラでは通常種子が得られないため、むかご、塊根、挿し木による栄養繁殖苗が育成されているが、頂部優勢性が極めて強くて分枝しないために苗は茎（つる）１本で出来ており、定植後も容易に分枝が発生しないため早期多収を図るには密に植付けなければならず苗代、植え付け作業の負担が大きい問題がある。【０００４】  特許文献１では、極めて分枝が発生し易いトマトについて、種子の発芽後極早い段階に第２本葉の上部で摘心するのに加え、第２本葉を摘葉することで第１本葉と第２本葉の腋芽を伸長させたトマト二本仕立て苗の作り方が記載されているものの、むかごなどを用いた栄養繁殖苗において、なおかつ、頂部優勢性の強い種や品種において複数の分枝で形成された苗の育成は容易でなく、その方法は未確立である。
【先行技術文献】
【特許文献】
【０００５】
【特許文献１】  特開２０１６−１１１９４９号  公報
【発明の概要】
【発明が解決しようとする課題】
【０００６】  アカザカズラは分枝しにくい性質が強く茎が１本だけ伸長し葉もまばらに付くため、多数の葉を収穫するには苗を密に植え付ける必要があることから多数の苗を必要とする問題がある。
【課題を解決するための手段】
【０００７】  アカザカズラの栄養繁殖苗の主茎又は子分枝又は孫分枝の長さが３０ｃｍに達する以前に主茎又は子分枝又は孫分枝の基部から２葉乃至６葉を残してその先端の茎を切除する操作をひとつの苗に対して１回から１０回繰り返すことで複数の分枝で形成された苗を育成することが出来る。
【発明の効果】
【０００８】  複数の分枝で形成された苗を植え付けると複数の分枝が伸長するため、分枝の本数に比例して株間を広くして植え付けることが可能となり、必要な苗の本数は少なくなり、苗代、植え付け労力とも軽減される。
【図面の簡単な説明】
【０００９】
【図１】  アカザカズラのむかごから生育した苗の１回目切除位置の例示図
【図２】  アカザカズラの１回目切除後の生育例と２回目切除位置の例示図
【発明を実施するための形態】
【００１０】  一般の野菜における育苗と同じく、適温、適湿条件下でアカザカズラのむかご、塊根等を培地に埋めておくと、これまでの実験では、１６℃以上の有効積算温度が発根までに約６６℃日、発根から発芽までに約８５℃日に達すれば発芽を迎える。
【００１１】  発芽後は有効積算温度１４℃日程度で１枚の葉が展葉し増加する。最も望ましいのは、８枚展葉した頃に図１の５で示した位置、すなわち下部から数えて第４葉目の上部で主茎を切除する。なお展葉とは、新しい葉が発生し、２日から３日後に１ｃｍ程度と小さいながら開いた状態の葉を示す。
【００１２】  切除後４日程経過すると第４葉目の葉腋から、続いて第３葉目の葉腋から芽が出始め、やがて図２の６で示した様な子分枝２本ができる。勢いの強い苗では、続いて第２葉目の葉腋から芽が出始め子分枝が３本できる。
【００１３】  さらに多くの分枝から形成された苗が必要な場合には、各子分枝が４枚展葉した頃に子分枝の基部から数えて第２葉目の上部で茎を切除すると切除後４日程経過した後に子分枝第２葉目の葉腋から、続いて子分枝第１葉目の葉腋から芽が出始め、やがて、孫分枝が２本できる。他の分枝も同様な操作を加えるとどの分枝からも孫分枝が複数出来るためより多くの分枝で形成された苗を育成することが出来る。
【００１４】  切除する時期と部位は適宜加減する事が出来る。切除時期を早めたり、残す葉を少なくするように切除すると生育速度が遅くなって時間はかかるけれども複数の分枝で形成された苗の育成が出来る。
【００１５】  この技術はツルムラサキなどつる性作物においても適用できる。
【００１６】  この技術の弱点は苗の育成に時間を要することである。従来技術による苗育成に必要な期間は５０日程度であるが、本技術では茎の切除を１回以上行うため、切除の都度生育が停滞し、複数の分枝で形成された苗の育成に７５日から１２０日程度が必要となり苗価格は上昇する。しかし、植え付けに要する苗の量が５割から２割程度に減少するため苗価格の上昇以上にメリットの方が大きい。
【符号の説明】
【００１７】  １  茎頂部
２  主茎
３  葉
４  むかご
５  主茎又は子分枝の切除位置例
６  葉腋から伸長した子分枝
【図１】
2018019675.tif 000003
【図２】
2018019675.tif 000004
(57)【要約】      （修正有）【課題】壁面に網枠が変形する程強く押さえつける必要がなく、隙間から虫を逃がさない連続して使用することが可能な虫取り網を提供する。【解決手段】網枠１に左右対称２か所に取付け用支点１ａを設け、網取付け部品４から半円状に作成された外枠３の先端取付け部３ａにリベッドＲなどで連結する事により、網枠１は上下に回転可能となり、あらゆる角度の壁面に変形する事無く、少しの力で押さえることで壁面に密着する。さらに、網枠１に平行方向に伸ばした網２を作成し、上下に回転可能なスペースアーム５により、網２が押し広げられ、虫は抵抗なく通過する空間ができ、網底へ落下する。【選択図】図１
2018019674.tif 000002
【特許請求の範囲】
【請求項１】
網枠（１）に左右対称２か所に取付け用支点（１ａ）を設け、網取付け部品（４）から半円状に作成された外枠（３）の先端取付け部（３ａ）にリベッド（Ｒ）などで連結する事により、網枠（１）は上下自由に回転可能となり、あらゆる角度の壁面に密着し捕虫できるのと同時に、図４に示すように柄（Ｔ）の角度を壁面に近付ける事により網（２）は自然に閉じ、捕らえた虫は簡単に逃げられない事を特徴とする。
【請求項２】
図３に示すように網枠（１）に平行方向に伸ばした網（２）を作成し、上下に回転可能なスペースアーム（５）により、網（２）が押し広げられ、虫は抵抗なく通過する空間ができ、網底へ落下し捕虫できる事を特徴とする。
【発明の詳細な説明】
【技術分野】
【０００１】  本発明は、虫とり網に関するものであり、網枠に工夫を加える事によって、網枠が上下回転可能となる網部可動式虫とり網である。
【背景技術】
【０００２】  従来から虫取りには、一般的に柄の先端に網枠が固定されている虫取り網が使用されている。
【発明の概要】
【発明が解決しようとする課題】
【０００３】  従来の一般的な虫取り網では、壁面に網枠が変形する程強く押さえつけないと、隙間から虫を逃がしてしまうという問題を有していた。また変形した網枠を直ぐに修復しないと連続して使用することが困難であったという問題を解決することを課題とする。
【課題を解決するための手段】
【０００４】  この課題を解決する為の請求項１の発明は、網枠（１）に左右対称２か所に取付け用支点（１ａ）を設け、網取付け部品（４）から半円状に作成された外枠（３）の先端取付け部（３ａ）にリベッド（Ｒ）などで連結する事により、網枠（１）は上下に回転可能となり、あらゆる角度の壁面に変形する事無く、少しの力で押さえることで壁面に密着し、高い確率で補虫できるようになる。【０００５】  また請求項２の発明は、図３に示すように網枠（１）に平行方向に伸ばした網（２）を作成し、上下に回転可能なスペースアーム（５）により、網（２）が押し広げられ、虫は抵抗なく通過する空間ができ、網底へ落下し捕虫できる事を特徴とする虫とり網。
【発明の効果】
【０００６】  本発明により、あらゆる角度の壁面にいる虫を網枠（１）の変形も無く、素早く簡単に、高い確率で補虫できるようになる。
【図面の簡単な説明】
【０００７】
【図１】網枠可動式虫とり網の正面図である。
【図２】天井などの水平面で使用した状態を示した図である。
【図３】壁面などの垂直面で使用した状態を示した図である。
【図４】壁面で網を閉じた状態を示した図である。
【符号の説明】
【０００８】１                網枠
１ａ              取付け用支点
２                網
３                外枠
３ａ              先端取付け部
４                網取付け部品
５                スペースアーム
Ｒ                リベット
Ｔ                柄
【発明を実施するための最良の形態】
【０００９】  図１は網枠可動式虫とり網の正面図である。同図に示すように網枠（１）に左右対称２か所に取付け用支点（１ａ）を設け、網取付け部品（４）から半円状に作成された外枠（３）の先端取付け部（３ａ）にリベッド（Ｒ）などで連結する事により、網枠（１）は上下に回転可能となり、あらゆる角度の壁面に密着できる。【００１０】  図２は、天井などの水平面で使用した状態を示した図である。同図に示すように網枠（１）は少しの力で押さえることで壁面に密着し、補虫できるようになる。【００１１】  図３は、壁面などの垂直面で使用した状態を示した図である。同図に示すようにスペースアーム（５）により網（２）が押し広げられ空間ができる。【００１２】  図４は、壁面で網を閉じた状態を示した図である。同図に示すように柄（Ｔ）の角度を壁面に近付ける事により網（２）が閉じ、網底に捕らえた虫は簡単に逃げられないようにできる。
【産業上の利用可能性】
【００１３】  本発明に係る網枠可動式虫とり網は、工業的に量産する事が可能である為、産業上の利用可能性を有する。
【図１】
2018019674.tif 000003
【図２】
2018019674.tif 000004
【図３】
2018019674.tif 000005
【図４】
2018019674.tif 000006
(57)【要約】      （修正有）【課題】天井裏に常時生活用水を流す本管を配置する事なく、通常使用されている給水配管を天井まで延長した消火設備用取水装置を提供する。【解決手段】手近な水栓器具給水配管部から、規定の、水圧、水量を通す事の出来る、管サイズ、及び規定の材質で、シャワーヘッド取り付け金具まで、配管し、断熱加工後、固定、シャワーヘッドを取り付、配管内には、シャワーヘッド取り付け部直前まで、内管を通し、内管の、他の一端は、水栓器具直前で、カット開口、これにより、水栓器具が開栓された時に、差し込まれた、内管開口部附近で、水流が発生した、負圧により、内管を通し、シャワーヘッド附近の停滞水を抜き取り、入れ替えることにより、枝管の凍結防止作用があり、屋外等の消火設備にも湿式法が使え電源なしで作動する、初期消火に役立てる事ができる。【選択図】図１
2018109302.tif 000002
【特許請求の範囲】
【請求項１】
既存給水器具の最終継手を三方継手に替え、水道連結消火設備の、取水装置と、する工法。
【請求項２】
既存給水器具の最終継手を三方継手に替え、水道連結消火設備への配管内の水質を保つ循環装置に、する工法。
【請求項３】
水道連結消火設備用取水装置に、枝管、循環内管、取り付け口を、組み込んだ、取り出し装置
【発明の詳細な説明】
【技術分野】
【０００１】本発明は既設水道設備より簡単に水道連結消火設備用の、取水ができる、装置である。
【背景技術】
【０００２】火災の初期消火装置として、自動で作動するスプリンクラー消火設備の、効果は絶大であるが、本来簡易型であるはずの、水道連結消火設備の施工は、水質保全の為の、器具の位置決めが、難しく施工は、簡易ではなかった。
【発明の概要】
【０００３】現在、市販設置されている、水道連結消火設備の、スプリンクラー取り付け装置は、水質保全の為、主水管を、天井附近に、直接、水平直列接続することを、強いられ、その為、スプリンクラー設置個所を、めぐって、あたかも、一筆書きの如く、主水管を通さなくては、ならなかった。
【発明が解決しようとする課題】
【０００４】  生活の為に、通常設置されている既存の給水装置、例として、流し台、洗面所、洗濯室、トイレの洗浄装置、等、から、単独に分岐、取水し、直近のスプリンクラーに、単独給水し、作動させ、かつ、水質を確保する事。【０００５】既存の給水装置より分岐、スプリンクラーまでの、配管内の水は、停滞水、通称、死に水と、なるため、その停滞を、解消する考案である事。
【課題を解決するための手段】
【０００６】スプリンクラーの作動に十分な、水量、水圧の、有る既存、又は、新設の、通常生活給水装置（８）の最終継手を、三方継手（５）に変え、水道連結消火設備用の取り出し口（６）より、設置地区管轄、水道事業体より、認可された、樹脂管又は、認可された、柔軟金属管の内管（１）を、通常生活給水装置（８）の直前まで、さしこむ。【０００７】通常生活給水装置直前までさしこまれた内管（１）の端部は、円錐状に広げ、ベンチュリー効果を生み出す。【０００８】差し込まれた内管（１）の他の一端は、水道事業体認可、及び、消防庁設備基準に適う、接続器具、接続管（７）の中を通しスプリンクラーまで、導く。【０００９】この状態で、通常生活給水装置（８）を、開栓し、内管（１）の通常生活給水装置（８）側の端部の周囲の、水の流れにより、内管（１）の端部に、ベンチュリー効果より、負圧が発生、水道連結消火設備用配管全体内の停滞水を入れ替える。【００１０】次に、通常生活給水装置手前の、最終継手が、内壁等に阻まれ、三方継手（５）に替えられない場合について、の説明である。【００１１】既設の建造物に、水道連結スプリンクラー消火設備を、新たに設置する場合、三方継手（５）の、取り付けにが、困難であり、時間も要する。【００１２】タイル等仕上がり済みの壁に阻まれ、三方継手（５）の取り付けが出来無い施工場所のために、外付け水道連結消火設備用、取り出し装置（４）を提供する。【００１３】壁に取り付けられた、通常生活給水装置の、蛇口等」（８）取り外し、取り出し装置（４）を取り付け、その後、通常生活給水装置の蛇口等」（８）を元に戻す作業をする。【００１４】取り付けた取り出し装置（４）の水路（９）のほぼ中心には、出口方向に曲げられた、樹脂管、又は、金属製の内管（１）を取り付け、ベンチュリー効果により、負圧を発生させ、内管（１）のスプリンクラー側より、停滞すいを抜き取る。
【発明の効果】
【００１５】（イ）主水管の天井配管設置が無くなり、結露水、通水音、ウォターハンマーの、被害が少ない。
（ロ）施工が簡略化し、初期消火設備の設置普及が早まる。
（ハ）内管以外は、規格市販品で賄える事ができ、許可申請が簡単。
（ニ）スプリンクラー用配管の自在度が増し、天井設計が楽になる。
【図面の簡単な説明】
【００１６】
【図１】水道連結消火設備の、取水装置と、配管法の、概念図である。
【図２】取り出し装置（４）の、透視概念図である。
【発明を実施するための形態】
【実施例１】
【００１２】充分な水量及び水圧が確保できる給水枝管の、最終継手を、三方継手（５）に替え通常生活給水装置の、例として蛇口（８）を取り付ける。【００１３】給水枝管（９）に新たに取り付けた三方継手（５）の取り出し口（６）より、蛇口（８）方向に向け、内管（１）を差し込み、水道連結消火設備用、取り込み部分は完成する。【００１４】内管（１）の他の一方は、水道法、消防法、の承認部材の中を通しながら、壁内又は、室内露出方法をとり、スプリンクラーまで導く。【００１５】本発明ベンチュリー効果の応用により、主水管一階床下に収め、一階天井の、スプリンクラーに配置しても、水質を、確保できるため、配管工事の自在性が良い。
【符号の説明】１  内管
２  取り出し装置給水枝管取り付け管雄ネジ
３  通常生活給水装置差し込み管雌ネジ
４  取り出し装置
５  三方継手
６  水道連結消火設備用取り出し口
７  接続管
８  通常生活給水装置
９  水路
【図１】
2018109302.tif 000003
【図２】
2018109302.tif 000004